(57)【要約】【課題】部品点数を削減するとともに、装置の小型化を図る。【解決手段】カード挿入口１５から挿入されたカードの前端に係合して移動板２２がＡ方向に移動し、遅れて差動板２５もＡ方向に移動する。差動板２５とシャッタ２７とは遊びを有して連結され、引張りコイルばね３２が介装されている。シャッタ２７のシャッタ部２９がカードの後端を係止して、カードをカード処理領域に取込み、その状態で引張りコイルばね３２に引張力が蓄積される。カードを返却するときに、引張りコイルばね３２に蓄積された引張力が、カード返却の補助ばねとして機能する。【選択図】        図６
2004303018.tif 000002
【特許請求の範囲】
【請求項１】
カード挿入口から挿入されたカードをカード取込み通路内に取込み、カード処理部によってカードのデータを処理した後に、カード挿入口から排出するカード処理装置におけるシャッタ構造において、
カード挿入口から挿入されたカードの前端と係合する係合部を有しカードの挿入に追従して移動し、カード取込み通路内に取り込まれたカードを処理した後にカード挿入口から返却する移動子と、
この移動子と遊びを有して連結され、カード挿入方向に移動することによりカード取込み通路内に進出しカードの後端を係止しカードをカード取込み通路内に取り込むシャッタとを備えたことを特徴とするカード処理装置におけるシャッタ構造。
【請求項２】
請求項１記載のカード処理装置におけるシャッタ構造において、
前記シャッタと前記移動子との間に中間部材を介装し、この中間部材とシャッタとを付勢手段によって連結したことを特徴とするカード処理装置におけるシャッタ構造。
【発明の詳細な説明】
【０００１】
【発明の属する技術分野】
本発明は、カード挿入口から１枚目のカードが挿入された後、２枚目のカードがカード挿入口からカード取込み通路内に挿入されるのを阻止するカード処理装置におけるシャッタ構造に関する。
【０００２】
【従来の技術】
従来のカード処理装置におけるシャッタ構造は、カード挿入口を有する押し込み部材と、この押し込み部材の移動に連動して移動量が増大される移動部材と、この移動部材に遊びを有して連結されたカード排出部材およびカード取込み部材とを備え、前記カード排出部材にはカードの前端と係合する係合爪が設けられ、前記カード取込み部材にはカードの後端と係合する係合部が設けられている（例えば、特許文献１参照）。なお、本出願人は、本明細書に記載した先行技術文献情報で特定される先行技術文献以外には、本発明に密接に関連する先行技術文献を出願時までに見付け出すことはできなかった。
【０００３】
【特許文献１】
特開２００１−２９１０６２号公報（段落「００１１」「００１８」、図４）
【０００４】
【発明が解決しようとする課題】
上述した従来のカード処理装置におけるシャッタ構造においては、移動部材を移動させるためにカード挿入口を有する押し込み部材を必要とするばかりではなく、カードを排出するためのカード排出部材も必要とするために、部品点数が増加するとともに、装置が大型化するという問題もあった。
【０００５】
本発明は上記した従来の問題に鑑みなされたものであり、第１の目的は部品点数を削減することにある。また、第２の目的は装置の小型化を図ることにある。
【０００６】
【課題を解決するための手段】
この目的を達成するために、請求項１に係る発明は、カード挿入口から挿入されたカードをカード取込み通路内に取込み、カード処理部によってカードのデータを処理した後に、カード挿入口から排出するカード処理装置におけるシャッタ構造において、カード挿入口から挿入されたカードの前端と係合する係合部を有しカードの挿入に追従して移動し、カード取込み通路内に取り込まれたカードを処理した後にカード挿入口から返却する移動子と、この移動子と遊びを有して連結され、カード挿入方向に移動することによりカード取込み通路内に進出しカードの後端を係止しカードをカード取込み通路内に取り込むシャッタとを備えたものである。
したがって、カードによって直接移動子を移動させ、この移動子の移動よりも遅れてシャッタが移動しカード取込み通路内に進出しカードの後端を係止してカードをカード取込み通路内に取り込む。カードの処理が終了したら、移動子によってカードがカード挿入口から返却される。
【０００７】
また、請求項２に係る発明は、請求項１に係る発明において、前記シャッタと前記移動子との間に中間部材を介装し、この中間部材とシャッタとを付勢手段によって連結したものである。
したがって、シャッタによって取り込まれたカードは付勢手段によって弾持される。また、カードを返却するときに付勢手段に蓄積された付勢力によって返却が開始される。
【０００８】
【発明の実施の形態】
以下、本発明の実施の形態を図に基づいて説明する。図１は本発明に係るカード処理装置の左カバーを取り除いた状態の外観を示す斜視図、図２は同じく正面図、図３は同じく底面図、図４（ａ）は図２における  ＩＶ（ａ）−ＩＶ（ａ）線断面図、同図（ｂ）は図２における  ＩＶ（ｂ）−ＩＶ（ｂ）線断面図、図５は同じくカード処理通路のカード処理領域とカード回収可能領域を説明するために、図４においてＶ−Ｖ  線で断面したモデル図、図６は同じくタンブラー装置、タンブラー装置解除手段、係止解除手段を抜粋して示した斜視図、図７は同じくタンブラー装置、タンブラー装置解除手段、係止解除手段を抜粋し、これらとカード処理通路との位置関係を説明するための正面図である。
【０００９】
図８は本発明に係るカード処理装置におけるシャッタ片の動作を説明するための要部の平面図で、同図（ａ）はカードの前端が移動板の被係合部に係合した状態を示し、同図（ｂ）は移動板の係合突片が差動板の被係合部に係合した状態を示す、同図（ｃ）はシャッタ片のシャッタ部がカード処理通路に臨んだ状態を示す、同図（ｄ）はカードの前、後端がストッパピンとシャッタ部とによって弾持された状態を示す。図９（ａ）は図２におけるＩＸ（ａ）−ＩＸ（ａ）  線断面図、同図（ｂ）は図２におけるＩＸ（ｂ）−ＩＸ（ｂ）  線断面図である。
【００１０】
図１０ないし図１４は本発明に係るカード処理装置におけるカードの処理動作を説明するための正面図で、図１０はカード挿入口から挿入されたカードの前端が移動板の被係合部に係合した状態を示し、図１１はタンブラー装置が中立の位置にある状態を示し、図１２はカードがカード処理領域に位置付けられた状態を示し、図１３はカード処理領域に位置付けられた状態のカードがカード挿入口から返却される状態を示し、図１４はカードがカード回収可能領域に取り込まれカード回収口から回収される状態を示し、図１５は本発明の要部を一部破断して示す平面図である。
なお、本装置が最も多く使用される態様から、図１において、図中右側、すなわちカード挿入口１５側を前側とし、正面側、すなわち図４において下側を左側とし、図１において背面側、すなわち図４において上側を右側として説明する。
【００１１】
図１で全体を符号１で示すカード処理装置は、左側方が開口した左ガイド板２と、右側方が開口した右ガイド板３と、左ガイド板２の開口を覆う左カバー４と、右ガイド板３の開口を覆う右カバー５とによって概ね構成されている。
【００１２】
左ガイド板２の前側には、中央部が窪むように湾曲形成された表面板６が一体に設けられている。同様に右ガイド板３の前側にも、中央部が窪むように湾曲形成された表面板７が一体に設けられているとともに、この右ガイド板３と左ガイド板２とを囲む囲い壁８が一体に設けられている。
【００１３】
右ガイド板３には、図５に示すように、矢印Ａ−Ｂ方向に互いに平行となるように延在する上下２本のガイドリブ１２，１３が一体に突設されている。これら２本のガイドリブ１２，１３の間隔は、このカード処理装置１によって情報が処理される非接触ＩＣカード（以下、単にカードと略称する）Ｐの幅よりも僅かに大きく形成され、これらガイドリブ１２，１３の突出量はカードＰの厚みよりも僅かに大きく形成されている。
【００１４】
したがって、左ガイド板２と右ガイド板３とが互いに対向することにより、これら左ガイド板２および右ガイド板３と上下のガイドリブ１２，１３とによって、図４（ａ）に示すように、カードＰが矢印Ａ−Ｂ方向に移動可能なカード取込み通路としてのカード処理通路１１が形成される。このカード処理通路１１の矢印Ｂ方向の端部には、左ガイド板２の表面板６と右ガイド板３の表面板７によって形成され、このカード処理通路１１と連通するカード挿入口１５が設けられている。
【００１５】
カード処理通路１１は、カード挿入口１５側に設けられたカード処理領域１１Ａと、このカード処理領域１１Ａよりも矢印Ａ方向側に設けられたカード回収可能領域１１Ｂとによって形成されている。カード処理領域１１Ａに対応して、右ガイド板３の右側方の表面には、図４に示すように、カード処理部としてのアンテナ基板１６が取り付けられている。
【００１６】
また、右ガイド板３には、図５に示すように、カード処理領域１１Ａの矢印Ａ側の一端に対応して、後述するストッパピン６６が臨む一対の貫通孔１７，１７が穿孔されている。したがって、カードＰがカード挿入口１５から挿入され、後述するタンブラー装置３５によってカード処理領域１１Ａに取り込まれ、ストッパピン６６によって前端が係止されると、カードＰに記録されている情報が無線によりアンテナ基板１６によって処理される。
【００１７】
カード回収可能領域１１Ｂに対応して、下方のガイドリブ１３には細長い切欠き１３ａが設けられており、上記した右ガイド板３の囲い壁８の底部には、図３に示すように、スリット状に形成されたカード回収口１８が設けられている。したがって、カード挿入口１５から挿入され、タンブラー装置３５によってカード回収可能領域１１Ｂに取り込まれたカードＰは、自重によって切欠き１３ａを通過してカード回収口１８から落下し、図示を省略したカード回収部に回収される。
【００１８】
左ガイド板２および右ガイド板３のそれぞれには、図４（ａ）に示すように、カード処理通路１１の略中央部から矢印Ａ側の端部まで延設された細長い長方形に形成されたガイド孔２０，２１が穿設されている。２２は細長い長方形に形成された移動子としての移動板であって、矢印Ａ方向の端部には直角に折り曲げるように形成した被係合部２２ａが設けられている。
【００１９】
この移動板２２は、左ガイド板２の左側方の表面に対接するようにして、ガイド孔２０，２１に沿って矢印Ａ−Ｂ方向に移動自在に支持されており、カード挿入口１５から挿入されたカードＰの前端が被係合部２２ａに係合するように、被係合部２２ａがガイド孔２０からカード処理通路１１に臨んでいる。
【００２０】
また、この移動板２２の上端の略中央部には、図７に示すように、後述する差動板２５の被係合部２５ａに係合して差動板２５を矢印Ａ方向に移動させる係合突片２２ｂが突設されており、移動板２２の矢印Ｂ方向側には、上下方向に延在する長孔２２ｃが穿孔されている。
【００２１】
中間部材としての差動板２５は、図７に示すように、細長い長方形に形成され、矢印Ａ方向の端部には右側方に向かって突設された被係合部２５ａが設けられており、矢印Ｂ方向の端部には、図１５に示すように係合ピン２５ｂが一体に突設されている。この差動板２５は、左ガイド板２の左側方の表面に被係合部２５ａの突設量だけ離間するようにして対向し、上記した移動板２２の上端に沿って矢印Ａ−Ｂ方向に移動自在に支持されている。この差動板２５の被係合部２５ａと、上記した移動板２２の係合突片２２ｂとの間は、図７に示すように間隔Ｌだけ離間している。
【００２２】
図９（ａ）において、２７は細長い長方形に形成されたシャッタ片であって、矢印Ｂ方向の端部には、右側方に折り曲げられるようにして形成されたシャッタ部２９が設けられており、両側部には同図（ｂ）に示すようにボス２７ａ，２７ａが突設されている。シャッタ片２７の矢印Ａ方向の端部には、図１５に示すように、断面がＵ字状に形成された保持部２８が一体に設けられている。この保持部２８の先端には、この保持部２８の開口に臨む係合部２８ａが一体に突設され、保持部２８の基端部には、係合部２８ａに対向するように舌片２８ｂが一体に突設されている。
【００２３】
シャッタ部２９のカード挿入口１５側の側面２９ａは、図１５に示すように、カード処理通路１１に進出した状態で鉛直方向から角度αだけカード挿入口１５側に傾斜し、係止面２９ａを形成している。また、この係止面２９ａとカード挿入口１５と反対側の側面２９ｂには、係止リブ３０が一体に突設されている。この係止リブ３０のカード挿入口１５と反対側の側面３０ａは、図１５に示すように、カード処理通路１１に進出した状態で鉛直方向から角度αだけカード挿入口１５と反対側に傾斜し、係止面３０ａを形成している。
【００２４】
このシャッタ片２７の保持部２８に、差動板２５の係合ピン２５ｂが係入されることにより、シャッタ片２７が差動板２５の端部に、矢印Ａ−Ｂ方向に僅かな遊びｌを有して枢着され、かつ差動板２５との間には、後述するストッパピン６６とともにカードＰを保持する機能と、カード返却時にカード返却を補助する機能を併せもつ引張りばね３２が懸架されている。
【００２５】
左カバー４の矢印Ｂ方向側には、図９（ｂ）に示すように、左ガイド板２側に向かって立設されたカム片３１が一体形成され、このカム片３１には、傾斜案内部３１ａと、これと連設され左ガイド板２に対向する水平案内部３１ｂとが形成されている。
【００２６】
差動板２５に連結されたシャッタ片２７は、後述するようにカードＰがカード挿入口１５から挿入されていない初期の状態において、図９（ｂ）に示すように、ボス２７ａが引張りコイルばね３２の引張力によって、カム片３１の傾斜案内部３１ａに係合するため、同図（ａ）に示すように、シャッタ部２９がカード処理通路１１から退避している。
【００２７】
一方、後述するように、差動板２５が矢印Ａ方向に移動することにより、シャッタ片２７が矢印Ａ方向に移動すると、ボス２７ａが傾斜案内部３１ａから水平案内部３１ｂに係合するため、シャッタ部２９が、同図（ａ）において、左ガイド板２に形成した切欠き３３からカード処理通路１１内に進出する。
【００２８】
図６および図７に符号３５で示すタンブラー装置は、扇形状に形成された第１のリンク３６と、上部３７ａが扇形状に形成され下部３７ｂが角柱状に形成された第２のリンク３７と、この第２のリンク３７を矢印Ｃ方向に付勢する付勢手段としての圧縮コイルばね（カード取込み用付勢手段）３８とによって概ね構成されている。
【００２９】
ここで、「Ｃ方向」とは、説明の便宜上、第２のリンク３７の下部３７ｂの軸線に沿った上方の方向を意味するもので、この後、動作の説明において、第２のリンク３７の傾きに変化するのに追従して、「Ｃ方向」の指向方向も変化する。
【００３０】
第１のリンク３６は、基端部が軸４０を介して左カバー４に回動自在に支持されており、回動端部である周端部の中央部にピン４１が植設されている。このピン４１と左カバー４との間にカード返却用付勢手段としての引張りコイルばね４２が介装されており、この引張りコイルばね４２の引張力によって、第１のリンク３６は軸４０を回動中心として図７中反時計方向に付勢されている。
【００３１】
第２のリンク３７の中央部はピン４１に枢着され、上部３７ａの周端部の中央部にはピン４３が植設されており、このピン４３が上記した移動板２２の長孔２２ｃ内に臨んでいる。このピン４３は、このピン４３と前記ピン４１とを結んだ結線が下部３７ｂの軸線と一致する位置に位置付けられているとともに、このピン４３と軸４０とを結ぶ結線が矢印Ａ−Ｂ方向と一致するように位置付けられている。
【００３２】
４４は有底角筒状に形成されたホルダーであって、両側部に小軸４５，４５が一体に突設されており、これら小軸４５，４５が後述する長孔５２内に臨み、かつ保持レバー５１によって保持されることによって小軸４５，４５を回動中心として回動自在に支持される。このホルダー４４内には、第２のリンク３７の下部３７ｂが係入され、この下部３７ｂがホルダー４４によって下部３７ｂの軸線方向に摺動自在に支持されている。
【００３３】
したがって、後述するようにピン４３を介して第２のリンク３７が矢印Ａ方向に押圧され、ピン４１を介して下部３７ｂがホルダー４４内を移動することにより、矢印Ａ方向に移動するピン４３は、スコット・ラッセル近似平行運動によって矢印Ａ方向に直線運動を行う。第２のリンク３７の下部３７ｂの下端とホルダー４４の底部との間には、圧縮コイルばねであるカード取込み用ばね３８が弾装されており、このカード取込み用ばね３８の弾発力によって、第２のリンク３７は矢印Ｃ方向、すなわち下部３７ｂの軸線方向に付勢されている。
【００３４】
このような構造を採ることにより、ピン４３が矢印Ａ方向に押圧されると、動支点としてのピン４３が、第２のリンク３７の回動支点である小軸４５と定支点としての軸４０を結んだ境界線Ｇに達するまでは、カード取込み用ばね３８の弾発力がピン４３を矢印Ｂ方向へ付勢する方向に作用する。
【００３５】
ピン４３が境界線Ｇ上に達すると、カード取込み用ばね３８の弾発力が最大となるが、ピン４３は矢印Ａ、Ｂのいずれの方向にも移動しない中立の位置に位置付けられる。この状態からピン４３が境界線Ｇを越え矢印Ａ方向に押圧されると、カード取込み用ばね３８の弾発力がピン４３を矢印Ａ方向に付勢する方向に作用する。
【００３６】
次に、図６および図７を用いて、タンブラー装置３５を解除するタンブラー装置解除手段５０について説明する。
【００３７】
タンブラー装置解除手段５０は、ホルダー４４の小軸４５を保持する保持レバー５１と、小軸４５を移動可能とする長孔５２と、保持レバー５１の基端部に固定された係合部材５３と、この係合部材５３に係合するロッド５６を備えたソレノイド５５とによって概ね構成されている。
【００３８】
保持レバー５１の基端部は、左カバー４と左ガイド板２との間に横架された軸５７に回動自在に支持されており、左ガイド板２との間に懸架した引張りコイルばね５８によって軸５７を回動中心として図中反時計方向に付勢されている。長孔５２は、上下方向に延在するように、左カバー４と左ガイド板２とに互いに対向して設けられており、これら長孔５２，５２に、上記したホルダー４４の小軸４５，４５が臨んでいる。
【００３９】
係合部材５３には、ロッド５６が係合する係合部５９が設けられており、ロッド５６が前進して係合部５９に係合することにより、ホルダー４４の小軸４５が長孔５２の上端に位置付けられて、保持レバー５１が水平状態に保持される。
【００４０】
一方、ソレノイド５５が作動しロッド５６が後退して係合部５９との係合が解除されると、保持レバー５１は軸５７を回動中心として回動可能な状態になる。したがって、この状態で仮に、カード取込み用ばね３８に弾発力が蓄積されていると、その弾発力によって保持レバー５１は軸５７を回動中心として図中時計方向に回動し、小軸４５が長孔５２内を下降する。
【００４１】
次に、図６および図７を用いて、タンブラー装置３５によって取り込まれたカードＰの前端を係止しカードＰをカード処理領域１１Ａに位置付ける第２の係止手段６６と、この第２の係止手段による係止を解除する係止解除手段７０について説明する。
【００４２】
図６において、６０は側面視Ｌ字状に形成されたレバーであって、基端部６１とこれと直交する回動端部６２とによって形成されており、右ガイド板３に設けた軸受部６４，６４間に横架された軸６５に基端部６１が回動自在に支持されている。
【００４３】
回動端部６２には一対の第２の係止手段としてのストッパピン６６，６６が一体に突設されており、これらストッパピン６６，６６は、レバー６０が回動することにより、右ガイド板３の貫通孔１７，１７からカード処理通路１１に臨むように構成されている。
【００４４】
係止解除手段としてのソレノイド７０は、右ガイド板３の囲い壁８に固定されており、ロッド７１がピン７２を介してレバー６０の基端部６１に枢着されている。このソレノイド７０の非励磁によりロッド７１が前進すると、レバー６０が回動してストッパピン６６，６６が右ガイド板３の貫通孔１７，１７からカード処理通路１１に臨み、励磁によりロッド７１が後退すると、ストッパピン６６，６６がカード処理通路１１から退避する。
【００４５】
次に、図７および図８ならびに図１０ないし図１４を用いて、このように構成されたカード処理装置におけるカードの処理動作を説明する。
【００４６】
図７に示すように、予めソレノイド５５のロッド５６が前進し係合部材５３の係合部５９に係合しており、保持レバー５１によって小軸４５が長孔５２の上端に位置付けられている。また、レバー６０のストッパピン６６が貫通孔１７，１７からカード処理通路１１内に臨んでいる。また、シャッタ片２７のシャッタ部２９が、図８（ａ）に示すように、カード処理通路１１から退避している。
【００４７】
この状態で、カードＰをカード挿入口１５からカード処理通路１１内に矢印Ａ方向に挿入すると、カードＰの前端が移動板２２の被係合部２２ａに当接する。さらにカードＰを矢印Ａ方向に挿入するとカードＰの前端が移動板２２の被係合部２２ａを矢印Ａ方向に押圧するから、図１０に示すように、移動板２２が矢印Ａ方向への移動を開始し、ピン４３を介して第２のリンク３７の下部３７ｂがホルダー４４内を下降するため、カード取込み用ばね３８が圧縮される。同時に、ピン４１を介して第１のリンク３６が軸４０を回動中心として図中時計方向に回動するから、カード返却用付勢手段である引張りコイルばね４２が伸長する。
【００４８】
さらに、カードＰを矢印Ａ方向に挿入すると、移動板２２の長孔２２ｃに臨むピン４３は、いわゆるスコット・ラッセル近似平行運動によって矢印Ａ方向に移動し、図１１に示すように、軸４０に重なるようにして境界線Ｇ上に位置して中立の状態が維持される。このとき、第１のリンク３６が軸４０を回動中心として図中時計方向に回動しているため、引張りコイルばね４２には引張力が蓄積される。
【００４９】
また、ピン４３が矢印Ａ方向に直線運動し、ホルダー４４の小軸４５が保持レバー５１によって矢印Ｄ方向への移動を規制されていることにより、第２のリンク３７が矢印Ｄ方向に移動するため、圧縮コイルばね３８が圧縮されて圧縮コイルばね３８に弾発力が蓄積される。また、この状態のとき移動板２２の係合突片２２ｂが差動板２５の被係合部２５ａに係合する。
【００５０】
この中立の状態から、さらにカードＰを矢印Ａ方向に挿入すると、タンブラー装置３５の圧縮コイルばね３８に蓄積された弾発力によって第２のリンク３７が矢印Ｃ方向に移動するから、矢印Ａ方向に移動するピン４３を介して移動板２２が矢印Ａ方向に移動する。
【００５１】
このとき、移動板２２の係合突片２２ｂが係合している被係合部２５ａの差動板２５が矢印Ａ方向に移動するから、図８（ｃ）に示すように、シャッタ片２７のボス２７ａが傾斜案内部３１ａから水平案内部３１ｂに案内されるためシャッタ部２９がカード処理通路１１に臨む。
【００５２】
シャッタ片２７が移動板２２に追従して矢印Ａ方向に移動することにより、シャッタ部２９がカードＰの後端に係合するから、カードＰはこのシャッタ部２９によって矢印Ａ方向に移動し、同図（ｄ）に示すように、前端がストッパピン６６に係止されることにより、カード処理領域１１Ａに位置付けられて停止する。したがって、シャッタ片２７のシャッタ部２９が、カードＰの後端を係止する第１の係止手段を構成する。
【００５３】
この後も、移動板２２は僅かに矢印Ａ方向に移動するため、カードＰの後端にシャッタ部２９が係合しているシャッタ片２７は、差動板２５との間の遊びｌ分だけ矢印Ｂ方向に移動する。したがって、差動板２５とシャッタ片２７との間に懸架された引張りコイルばね３２が伸長し、引張りコイルばね３２に引張力が蓄積されるため、カードＰはストッパピン６６とシャッタ部２９とによって弾持される。
【００５４】
このとき、１枚目のカードＰ１の後端がシャッタ部２９の係止リブ３０に係止され、この係止リブ３０の係止面３０ａが鉛直方向から角度αだけカード挿入口１５と反対方向に傾斜して形成されているため、係止リブ３０がカードＰ１によって矢印Ｂ方向に押圧されると、シャッタ片２７をカード処理通路１１側に付勢する分力Ｆ１が発生する。したがって、シャッタ部２９がカード処理通路１１から退避する方向すなわちカード処理通路１１を開放する方向へ回動するようなことがないから、カードＰ１がシャッタ部２９に確実に弾持されるため、１枚目のカードＰ１が誤ってカード挿入口１５から排出されるようなことがない。
【００５５】
ピン４３が矢印Ａ方向に移動する間、第２のリンク３７の下部３７ｂがホルダー４４内を摺動し、このホルダー４４が小軸４５を回動中心として回動自在に支持されているため、ホルダー４４がピン４３の移動に追従して第２のリンク３７の下部３７ｂの軸線方向と一致した状態を保持しながら回動する。
【００５６】
したがって、ホルダー４４内に収納された圧縮コイルばね３８も、常に第２のリンク３７の下部３７ｂの軸線方向と一致した状態が保持されるから、ピン４３が移動中に、圧縮コイルばね３８によって第２のリンク３７を曲げるような分力が発生しない。このため第２のリンク３７を破損したりすることがないばかりか、第２のリンク３７を付勢するときに荷重損失が発生しない。
【００５７】
また、移動板２２には、ピン４３が臨む孔を長孔２２ｃとしたことにより、タンブラー装置３５を構成する各構成部品間に組付け誤差が発生していたとしても、移動板２２が矢印Ａ方向に移動するとき、動作不良が発生するようなことがなく円滑に移動する。
【００５８】
また、第１のリンク３６を扇形に形成し、第２のリンク３７の上部３７ａを扇形に形成し、移動中に両リンク３６，３７が常に重なった状態としたことにより、両リンク３６，３７に反り等が発生し、移動中に両リンク３６，３７の端面どうしが係合して動作不良となるようなことも防止できる。
【００５９】
カードＰがカード処理通路１１のカード処理領域１１Ａに取り込まれた状態において、引張りコイルばね４２はカードを返却するだけの引張力が蓄積される。一方、圧縮コイルばね３８には、この引張りコイルばね４２に蓄積された引張力よりも大きなカード取込み用の弾発力が残されている。
【００６０】
このようにしてカード処理領域１１Ａに取り込まれたカードＰは、アンテナ基板１６によって１枚目のカードＰ１に記録された情報の処理が行われる。このとき、故意または誤って、２枚目のカードＰ２がカード挿入口１５から挿入されても、図１５に示すように、シャッタ片２７のシャッタ部２９がカード処理通路１１内に進出した状態が保持されている。
【００６１】
したがって、このシャッタ部２９によって２枚目のカードＰ２のカード処理通路１１内への挿入を規制することができるから、１枚目のカードＰ１のカード処理に支障をきたすようなことがない。しかも、２枚目のカードＰの前端が係止されるシャッタ部２９の係止面２９ａが、カード処理通路１１と直交する方向からカード挿入口１５側に角度αだけ傾斜するように形成されているため、係止面２９ａがカードＰ２によって矢印Ａ方向に押圧されると、シャッタ片２７をカード処理通路１１側に付勢する分力Ｆ２が発生する。したがって、シャッタ部２９がカード処理通路１１から退避することがないから、２枚目のカードＰ２がカード処理通路１１内に挿入されるのを確実に防止できる。
【００６２】
また、シャッタ片２７のシャッタ部２９は、ボス２７ａがカム片３１の水平案内部３１ｂに案内されることにより、カード処理通路１１内に確実に進出し、進出した状態が保持されるから、誤って１枚目のカードＰ１が誤って排出されるようなことがないというだけではなく、２枚目のカードＰ２が故意または誤って挿入されるようなこともない。
【００６３】
カードＰに記録された情報の処理が終了したら、カードＰをカード挿入口１５から返却するかまたはカードＰを回収する。カードＰをカード挿入口１５から返却する場合には、図１３に示すように、タンブラー装置解除手段５０のソレノイド５５を作動させロッド５６を後退させることにより、ロッド５６と係合部材５３の係合部５９との係合を解除する。
【００６４】
したがって、保持レバー５１がピン５７を回動中心として回動可能な状態となるため、第２のリンク３７を上方に付勢している圧縮コイルばね３８に蓄積された弾発力によって、ホルダー４４が下方に押圧される。したがって、小軸４５が長孔５２内を下方に摺動してホルダー４４が下方に移動するから、カード取込み用付勢手段としての圧縮コイルばね３８に蓄積されていた弾発力が解放される。
【００６５】
一方、カード返却用付勢手段としての引張りコイルばね４２の引張力は蓄積されているから、この引張りコイルばね４２の引張力によって、第１のリンク３６が軸４０を回動中心として反時計方向に回動する。第１のリンク３６とピン４１を介して連結された第２のリンク３７のピン４３が矢印Ｂ方向に移動するから、移動板２２も矢印Ｂ方向に移動し、移動板２２の被係合部２２ａがカードＰの前端に係合する。
【００６６】
このとき、差動板２５とシャッタ片２７との間に懸架された引張りコイルばね３２に引張力が蓄積されているから、この引張力によって差動板２５が矢印Ｂ方向に引っ張られる。このため、差動板２５の被係合部２５ａに係合突片２２ｂが係合している移動板２２も矢印Ａ方向に移動するから、引張りコイルばね３２が引張りコイルばね４２によるカード返却動作を補助するカード返却用の補助ばねとして機能する。
【００６７】
したがって、カードＰは移動板２２によって矢印Ｂ方向に移動するから、カードＰの後端にシャッタ部２９が係合しているシャッタ片２７もカードＰに追従して矢印Ｂ方向に移動し、図８（ｂ）に示すように、ボス２７ａが傾斜案内部３１ａに臨む。このため、シャッタ部２９がカード処理通路１１から退避するから、シャッタ部２９とカードＰの後端との係合が解除するため、カードＰはカード挿入口１５から排出される。
【００６８】
カードＰがカード挿入口１５から排出されると、タンブラー装置３５は、図７に示すような初期の状態に復帰し、保持レバー５１も引張りコイルばね５８の引張力によって水平状態に復帰して、係合部材５３の係合部５９がソレノイド５５のロッド５６と係合可能な状態に位置付けられる。
【００６９】
一方、カード処理領域１１Ａにおいてアンテナ基板１６によって情報が処理された結果、カードＰを回収する必要が生じたら、係止解除手段としてのソレノイド７０を作動させロッド７１を後退させることにより、ストッパピン６６をカード処理通路１１から退避させる。
【００７０】
このとき、上述したように、圧縮コイルばね３８には、引張りコイルばね４２の引張力よりも大きなカード取込み用の弾発力が残されているから、図１４に示すように、第２のリンク３７が矢印Ｃ方向に移動させられるので、ピン４１を介して第１のリンク３６が軸４０を回動中心として時計方向に回動する。
【００７１】
したがって、第１のリンク３６とピン４１を介して連結された第２のリンク３７のピン４３は矢印Ａ方向に移動するから、移動板２２の係合突片２２ｂに被係合部２５ａが係合している差動板２５も矢印Ａ方向に移動する。差動板２５と引張りコイルばね３２を介して連結されたシャッタ片２７も矢印Ａ方向に移動するから、シャッタ部２９に後端が係合しているカードＰは、矢印Ａ方向に移動してカード回収可能領域１１Ｂに位置付けられる。
【００７２】
カード回収可能領域１１Ｂに位置付けられたカードＰは、自重によってカード回収口１８から落下し図示を省略したカード回収部に回収される。
【００７３】
このように、カードＰをカード処理領域１１Ａに取込むための移動板２２をカードによって直接移動させるようするととともに、移動板２２の被係合部２２ａをカード排出にも使用できるため、部品点数を削減することができるばかりではなく、装置の小型化を図ることができる。
【００７４】
【発明の効果】
以上説明したように、請求項１に係る発明によれば、部品点数を削減することができるばかりではなく、装置の小型化を図ることができる。
【００７５】
また、請求項２に係る発明によれば、カードを弾持する付勢手段がカード返却用の補助ばねとして機能するからカードの返却不良を防止できる。
【図面の簡単な説明】
【図１】本発明に係るカード処理装置の左カバーを取り除いた状態の外観を示す斜視図である。
【図２】本発明に係るカード処理装置の左カバーを取り除いた状態の外観を示す正面図である。
【図３】本発明に係るカード処理装置の底面図である。
【図４】同図（ａ）は図２における  ＩＶ（ａ）−ＩＶ（ａ）線断面図、同図（ｂ）は図２における  ＩＶ（ｂ）−ＩＶ（ｂ）線断面図である。
【図５】本発明に係るカード処理装置におけるカード処理通路のカード処理領域とカード回収可能領域を説明するために、図４においてＶ−Ｖ  線で断面したモデル図である。
【図６】本発明に係るカード処理装置におけるタンブラー装置、タンブラー装置解除手段、係止解除手段を抜粋して示した斜視図である。
【図７】本発明に係るカード処理装置において、タンブラー装置、タンブラー装置解除手段、係止解除手段を抜粋し、これらとカード処理通路との位置関係を説明するための正面図である。
【図８】本発明に係るカード処理装置におけるシャッタの動作を説明するための要部の平面図で、同図（ａ）はカードの前端が移動板の被係合部に係合した状態を示し、同図（ｂ）は移動板の係合突片が差動板の係合に係合した状態を示す、同図（ｃ）はシャッタのシャッタ部がカード処理通路に臨んだ状態を示す、同図（ｄ）はカードの前、後端がストッパピンとシャッタ部とによって弾持され他状態を示す。
【図９】図９（ａ）は図２におけるＩＸ（ａ）−ＩＸ（ａ）  線断面図、同図（ｂ）は図２におけるＩＸ（ｂ）−ＩＸ（ｂ）  線断面図である。
【図１０】本発明に係るカード処理装置におけるカードの処理動作を説明するための正面図で、カード挿入口から挿入されたカードの前端が移動板の被係合部に係合した状態を示す。
【図１１】本発明に係るカード処理装置におけるカードの処理動作を説明するための正面図で、タンブラー装置が中立の位置にある状態を示す。
【図１２】本発明に係るカード処理装置におけるカードの処理動作を説明するための正面図で、カードがカード処理領域に位置付けられた状態を示す。
【図１３】本発明に係るカード処理装置におけるカードの処理動作を説明するための正面図で、カード処理領域に位置付けられた状態のカードがカード挿入口から返却される状態を示す。
【図１４】本発明に係るカード処理装置におけるカードの処理動作を説明するための正面図で、カードがカード回収可能領域に取り込まれカード回収口から回収される状態を示す。
【図１５】本発明の要部を一部破断して示す平面図である。
【符号の説明】
１…カード処理通路、２…左ガイド板、３…右ガイド板、１１…カード処理通路、１１Ａ…カード処理領域、１１Ｂ…カード収納可能領域、１５…カード挿入口、１６…アンテナ基板、２２…移動板、２５…差動板、２５ａ…被係合部、２７…シャッタ片、２７ａ…ボス、２８…保持部、２９…シャッタ部、２９ａ…係止面、３０…係止リブ、３０ａ…係止面、３２…カード返却用補助ばね、３５…タンブラー装置、３８…カード取込み用ばね、４２…引張りコイルばね（カード返却用付勢手段）、５０…タンブラー装置解除手段、６６…ピン（第２の係止手段）、７０…ソレノイド（係止解除手段）。
【図１】
2004303018.tif 000003
【図２】
2004303018.tif 000004
【図３】
2004303018.tif 000005
【図４】
2004303018.tif 000006
【図５】
2004303018.tif 000007
【図６】
2004303018.tif 000008
【図７】
2004303018.tif 000009
【図８】
2004303018.tif 000010
【図９】
2004303018.tif 000011
【図１０】
2004303018.tif 000012
【図１１】
2004303018.tif 000013
【図１２】
2004303018.tif 000014
【図１３】
2004303018.tif 000015
【図１４】
2004303018.tif 000016
【図１５】
2004303018.tif 000017